(57)【特許請求の範囲】
【請求項１】
厚さ方向に延びる複数の空洞部を有するハニカム状の基材マットと、細長い紐状基材に人工芝を植設してなる紐状人工芝とを備え、
前記基材マットにおける隣接する空洞部間に配置される区画壁の上部に切欠部を形成し、この切欠部に前記紐状人工芝を嵌合固定して、前記紐状人工芝を前記基材マットの複数の空洞部にわたって設けることで、基材マットに人工芝を植設するとともに、基材マットの空洞部に客土を充填して天然芝を植栽した、
ことを特徴とする芝生施工構造。
【請求項２】
前記紐状人工芝として、貯水可能な溝部を有する細長い紐状基材に人工芝を植設してなるものを用いた請求項１記載の芝生施工構造。
【請求項３】
前記紐状基材として、断面がＵ型又はＹ型又はＨ型の押し出し成形品からなるものを用いた請求項１又は２記載の芝生施工構造。
【請求項４】
前記紐状人工芝と基材マットとの嵌合部に、紐状人工芝を基材マットから引き抜くことを防止するための凹凸嵌合部を設けた請求項１〜３のいずれか１項記載の芝生施工構造。
【請求項５】
前記紐状人工芝の紐状基材に下側へ延びるアンカー部を形成した請求項１〜４のいずれか１項記載の芝生施工構造。
【請求項６】
前記天然芝の生育条件に応じて、天然芝と人工芝の混合割合を調整した請求項１〜５のいずれか１項記載の芝生施工構造。
【発明の詳細な説明】
【技術分野】
【０００１】
本発明は、天然芝と人工芝とを混在させてなる芝生施工構造に関する。
【背景技術】
【０００２】
近年、ヒートアイランド現象の緩和や、太陽光の照り返しの防止による地球温暖化対策の一環として、あるいは雨水の浸透性を十分に確保しつつ下水設備の負担を軽減することを目的として、交通量の少ない駐車場や消防車進入路、あるいは遊歩道などに天然芝を植栽するときの天然芝の保護構造が種々提案されている。例えば、特許文献１には、厚さ方向に延びる複数の空洞部を有するハニカム状の基材マットを用い、この基材マットを芝生施工位置の地盤上に敷設し、その後、基材マットの空洞部内に上面一杯になるまで客土を充填して天然芝を植栽することで、隣接する空洞部間の区画壁の上端部で、車両の荷重を受け止めて、植栽した天然芝が踏み潰されないように構成したものが提案される。
【０００３】
一方、人工芝として、柔軟性を有する紐状部材に人工芝を植設してなる、紐状人工芝が提案されている（例えば、特許文献２参照。）。また、天然芝と人工芝とを均一に混在させてなる舗装面を形成可能な天然芝入り人工芝も提案されている（例えば、特許文献３参照。）。
【０００４】
【特許文献１】特開平０８−９２９０８号公報
【特許文献２】特開平０３−２８４０４号公報
【特許文献３】特開２００１−１３６８２９号公報
【発明の開示】
【発明が解決しようとする課題】
【０００５】
ところで、特許文献１記載の保護構造では、天然芝が踏み潰されることを防止して、天然芝の生育を促進できるが、通常の天然芝と同様に、十分な散水を行わないと、芝生が枯れるという問題は避けられないし、天候によっても、日照りが続く場合には、芝生が弱って枯れるという問題がある。そして、このように天然芝が枯れてしまうと、空洞部内に投入した土壌の地肌が露出して、芝生の施工部位における景観が低下する。また、駐車場等においては、車両が頻繁に出入りする部分の芝生がどうしても擦り切れてその生育が遅くなったり、枯れたりすること、車両の駐車位置の下側の日射の少ない部分と、それ以外の日射の多い部分とで、天然芝の生育に差が生じて、芝生が斑になったり、芝生が斑に枯れたりすること、などの問題がある。
【０００６】
更に、特許文献１記載のような天然芝の植栽構造は、通常、雨水等を溜めておくための貯水部がないので、天然芝が枯れることを防止するためには、頻繁に散水する必要があり、大きな駐車場等においては散水作業が煩雑になるという問題もある。
【０００７】
本発明の目的は、天然芝の生育を促進しつつ、万一、天然芝が枯れてしまったり、天然芝の生育に差が生じてしまったりした場合であっても、人工芝により芝生の景観や意匠性の低下を効果的に防止可能な芝生施工構造を提供することである。
【課題を解決するための手段】
【０００８】
本発明者は、天然芝は人工芝と比較して風合いに優れているが、維持管理に手間がかかり、枯れると見栄えが悪くなるのに対して、人工芝は天然芝程には意匠性に優れてはいないが、維持管理が容易で、しかも常時安定した景観が得られることに着目し、天然芝と人工芝とを混在させて芝生を構成することで、天然芝の風合いを残しつつ、万一、天然芝が枯れた場合における芝生の景観や意匠性の低下を人工芝で補うことができることを見出して、本発明を完成するに至った。
【０００９】
本発明に係る芝生施工構造は、厚さ方向に延びる複数の空洞部を有するハニカム状の基材マットと、細長い紐状基材に人工芝を植設してなる紐状人工芝とを備え、前記基材マットにおける隣接する空洞部間に配置される区画壁の上部に切欠部を形成し、この切欠部に前記紐状人工芝を嵌合固定して、前記紐状人工芝を前記基材マットの複数の空洞部にわたって設けることで、基材マットに人工芝を植設するとともに、基材マットの空洞部に客土を充填して天然芝を植栽したものである。尚、天然芝は、客土に芝生の種を播いて生育させてもいし、予め生育させた天然芝を基材マットに植栽してもよい。
【００１０】
この芝生施工構造では、紐状人工芝と天然芝とで芝生を構成できるので、人工芝のみにより芝生を構成する場合と比較して、天然芝の良好な風合いを芝生に付与でき、また天然芝のみにより芝生を構成する場合と比較して、灌水量を少なくできるとともに、天然芝が万一枯れた場合であっても、人工芝により芝生の景観低下や意匠性の低下を防止することができる。しかも、紐状人工芝を基材マットの区画壁に形成した切欠部に順次嵌合させることによって、基材マットに対して人工芝を容易に施工できるので、基材マットの空洞部に対して個別に人工芝を植設する場合と比較して、人工芝の施工作業性を格段に向上できる。また、空洞部に充填した客土に天然芝を植栽しているので、空洞部を形成する区画壁により天然芝が踏み潰されることを防止して、天然芝の生育を促進することができる。
【００１１】
ここで、前記紐状人工芝として、貯水可能な溝部を有する細長い紐状基材に人工芝を植設してなるものを用いることが好ましい実施の形態である。この紐状人工芝を用いると、雨水や散水を紐状基材の溝部に一時的に貯留できるので、灌水不足により天然芝が枯れてしまうことを効果的に防止できる。また、溝部内に貯留した雨水等が紐状人工芝の全長にわたって一様に分散しようとするので、散水にバラツキがあったとしても、灌水量を一様に調整することができる。
【００１２】
前記紐状基材として、断面がＵ型又はＹ型又はＨ型の押し出し成形品からなるものを用いることができる。このような断面形状であれば、上部に貯水可能な溝部を有する紐状基材を、合成樹脂材料などを押出成形することにより安価に且つ効率的に製作することができる。
【００１３】
前記紐状人工芝と基材マットとの嵌合部に、紐状人工芝を基材マットから引き抜くことを防止するための凹凸嵌合部を設けることもできる。このように構成することで、紐状人工芝が基材マットから引き抜かれるという悪戯を効果的に防止できる。
【００１４】
前記紐状人工芝の紐状基材に下側へ延びるアンカー部を形成することもできる。このようなアンカー部を設けると、紐状人工芝が基材マットから引き抜かれるという悪戯を一層効果的に防止できる。
【００１５】
前記天然芝の生育条件に応じて、天然芝と人工芝の混合割合を調整することもできる。例えば、日当たりの良くない部位や、車両が頻繁に出入りする部位などのように、天然芝の生育条件があまり良くない部位に関しては、他の部位と比較して天然芝の生育が遅れたり、天然芝が枯れたりし易いので、人工芝の混合割合を他の部位と比較して高く設定し、天然芝の生育遅れや枯れによる芝生の景観や意匠性の低下を防止することができる。
【発明の効果】
【００１６】
本発明に係る芝生施工構造によれば、紐状人工芝と天然芝とで芝生を構成できるので、人工芝のみにより芝生を構成する場合と比較して、天然芝の良好な風合いを芝生に付与でき、また天然芝のみにより芝生を構成する場合と比較して、灌水量を少なくできるとともに、天然芝が万一枯れた場合であっても、人工芝により芝生の景観や意匠性の低下を防止することができる。しかも、紐状人工芝を基材マットの区画壁に形成した切欠部に順次嵌合させることによって、基材マットに対して人工芝を容易に施工できるので、基材マットの空洞部に対して個別に人工芝を植設する場合と比較して、人工芝の施工作業性を格段に向上できる。また、空洞部に充填した客土に天然芝を植栽しているので、空洞部を形成する区画壁により天然芝が踏み潰されることを防止して、天然芝の生育を促進することができる。
【発明を実施するための最良の形態】
【００１７】
以下、本発明の実施の形態について図面を参照しながら説明する。
図１〜図５に示すように、芝生施工構造１は、厚さ方向に延びる複数の空洞部１１を有するハニカム状の基材マット１０と、細長い紐状基材２１に人工芝２２を植設してなる紐状人工芝２０とを備え、基材マット１０における隣接する空洞部１１を区画する区画壁１２の上部に切欠部１３を形成し、この切欠部１３に紐状人工芝２０を嵌合固定して、紐状人工芝２０を複数の空洞部１１にわたって設けて、基材マット１０に人工芝２２を植設するとともに、基材マット１０の空洞部１１に客土２を充填して天然芝３を基材マット１０に植栽したものである。より具体的には、図４（ａ）に示すように、芝生施工構造１の施工部位の地盤４を整地してその上に基材マット１０を設置してから、図４（ｂ）に示すように、切欠部１３の下端部まで空洞部１１内に客土２を充填し、図４（ｃ）に示すように、紐状人工芝２０を切欠部１３に嵌合させて、基材マット１０に人工芝２２を植設してから、図４（ｄ）に示すように、空洞部１１内に上面一杯まで客土２を充填して、図４（ｅ）に示すように、天然芝３の種を播いて天然芝３を生育させることになる。但し、種を播く代わりに、予め生育させた天然芝３を空洞部１１内に植栽することも本発明の範疇である。
【００１８】
基材マット１０は、高密度ポリエチレンなどの硬質プラスチックなどからなる一体成形品で構成されている。基材マット１０には、厚さ方向に延びる６角筒状の複数の単位セル１４がハニカム状に設けられ、各単位セル１４内には厚さ方向に延びる６角柱状の空洞部１１が形成されている。各単位セル１４は、６つの辺に配置される略平板状の区画壁１２と、６つの角部に配置される略三角柱状の支柱部１５と、区画壁１２と支柱部１５との連設部に設けた略円柱状の補強部１６と、中央部に開口１７を形成した底板１８とを備え、上面を開放した６角筒状に形成されている。尚、基材マット１０の側部には図示外の凹凸嵌合構造が設けられ、この凹凸嵌合構造を介して隣接する基材マット１０に着脱自在に連結されている。また、各基材マット１０は、その施工位置がずれないように、図５に示すように、アンカーピン５を用いて設定間隔おきに施工部位の地盤４に固定することが好ましい。
【００１９】
各区画壁１２の上部には切欠部１３が形成され、この切欠部１３に紐状人工芝２０を嵌合させて、複数の空洞部１１間に亙って紐状人工芝２０が連続的に配置されている。また、この切欠部１３は、紐状人工芝２０を嵌合させない箇所においては、隣接する空洞部１１間にわたって天然芝３の根が延びるための通路として機能し、天然芝３の根が縦横に延びることで、日照りや灌水不足に対して強い天然芝３を生育できる。底板１８の中央部には開口１７が形成され、この開口１７を通って基材マット１０の下側の地盤４にまで天然芝３の根がはることができるとともに、単位セル１４内の水捌け性能を十分に確保できるように構成されている。
【００２０】
前記基材マット１０において歩行者や車両などの上載荷重は、支柱部１５及び補強部１６により受け止められる。また、空洞部１１内には客土２が上面一杯まで充填されるが、空洞部１１内の客土２は徐々に詰まった状態となり、基材マット１０上を歩行する歩行者や基材マット１０上を通過する車両と、客土２の上面間に空間１９が形成され、これにより歩行時や車両の通過時においても、天然芝３が踏み潰されることが防止されている。尚、空洞部１１内への客土２の充填時に、客土２の充填量を空洞部１１の９分目程度に設定することも好ましい実施である。このように構成すると、芝生施工構造１の施工直後から、空間９が形成されるので、播いた芝生の種の生育を促進したり、植生した芝生の生育を促進できるので好ましい。
【００２１】
基材マット１０としては、歩行者や車両などの上載荷重に耐え得るものであれば任意の構成のものを採用することが可能である。また、基材マット１０の各部の寸法は任意に設定できるが、駐車場などの比較的広い領域に敷設する場合には、敷設枚数を少なくして作業効率を高めるため、例えば厚さ５０ｍｍ、幅６００ｍｍ長さ、２５００ｍｍの比較的大きな長方形状のものを好適に採用できる。また、各単位セル１４を構成する６本の支柱部１５の中心を通る円の直径は、大きすぎると、例えば歩行時に靴の踵や先が単位セル１４内に嵌り込むなど、歩行性の低下が懸念され、小さすぎると天然芝３の生育領域を十分に確保できないので、９０ｍｍ〜１１５ｍｍに設定することが好ましい。また、空洞部１１が６角柱状となるように区画したが４角柱状やその他の円柱や角柱形状となるように区画することも可能である。
【００２２】
紐状人工芝２０は、断面略Ｕ字状の長尺な細長い紐状基材２１と、紐状基材２１の底壁に設定間隔おきに植設してなる人工芝２２とを備え、紐状基材２１を切欠部１３に嵌合させて基材マット１０に組み付けられている。
【００２３】
紐状基材２１は、ポリエチレンやポリプロピレン、軟質塩化ビニールなどの合成樹脂材料や、アルミニウム合金などの金属材料を押出成形して製作した、断面略Ｕ字状の部材で構成されている。特に、紐状基材２１として、柔軟性を有する合成樹脂材料からなるものを採用すると、前述のように、基材マット１０に対して文字や記号などを模るように取り付けたり、駐車場等における案内表示を模るように取り付けたりするときに、紐状人工芝２０を容易に折り曲げることができるので好ましい。また、押出成形品で構成すると、紐状基材２１を安価に製作することができる。更に、紐状基材２１を断面略Ｕ字状に形成することで、紐状基材２１内に上方へ向けて開口する溝部２３が形成され、この溝部２３が雨水や散水等を一時的に貯留する貯水空間とし機能するので、散水回数を少なくできる。尚、このような溝部２３を有する押出成形品からなる紐状基材２１としては、図６（ａ）に示すような断面Ｕ型の紐状基材２１以外に、図６（ｂ）に示すような断面Ｈ型の紐状基材２１Ａや、図６（ｃ）に示すような断面Ｙ型の紐状基材２１Ｂを採用することもできる。但し、紐状基材２１としては、人工芝２２を植設可能な細長い部材からなるものであれば、任意の構成のものを採用することができる。例えば、合成樹脂繊維を平織した平坦な帯状の基布を紐状基材２１として採用することもできる。この場合には、絨毯などにおけるパイル糸の植設方法と同様に、タフティングにより人工芝２２を植設させることができる。また、円柱や円筒状の紐状基材を採用し、この紐状部材の内部空間を貯水空間として活用することもできる。
【００２４】
人工芝２２としては、合成樹脂繊維や天然繊維などかなる繊維材や、幅１〜３ｍｍ程度の合成樹脂テープを複数本束ねてものを好適に利用できる。合成樹脂繊維や合成樹脂テープとしては、ポリプロピレンやポリエチレン等のオレフィン系合成樹脂やポリアミド、ポリ塩化ビニリデン、ポリエステル等の合成樹脂材料からなるものを好適に採用できる。繊維材は、モノフィラメントタイプでもよいし、マルチフィラメントタイプでもよい、またスプリット加工や捲縮加工や着色加工などの加工を施したものを採用することも可能である。人工芝２２の長さは、紐状基材２１を切欠部１３に嵌合させて、紐状人工芝２０を基材マット１０に取り付けた状態で、人工芝２２が基材マット１０の上端部から１０〜３０ｍｍ程度上方へ突出するような長さに設定され、天然芝３が枯れた場合でも、人工芝２２により景観や意匠性が十分に確保できるように構成されている。
【００２５】
紐状基材２１に対する人工芝２２の植設方法は、ステープラーによる固定や、熱融着や、接着剤による固定など、周知の植設方法を採用できる。例えば、図５に示すように、複数本の繊維材や合成樹脂テープを設定長さに切断して葉束２４を製作し、この葉束２４の途中部をステープラーの略コ字状の針２５により紐状基材２１の底壁に一定間隔おきに固定することで植設することができる。また、葉束２４を紐状基材２１に固定する際には、ステープラーの針２５の途中部が紐状基材２１の長さ方向になるように固定することで、紐状基材２１の側壁により葉束２４を上方へ案内して、葉束２４の姿勢を安定させることができる。
【００２６】
基材マット１０に対する紐状人工芝２０の配設レイアウトは、図２に示すように、各単位セル１４に対して１本の紐状人工芝２０が斜めに横断するように取り付けることもできるし、１つおき或いは複数個おきの単位セル１４に対して１本の紐状人工芝２０が斜めに横断するように取り付けることもできる。また、図７（ａ）に示すように、基材マット１０に対して紐状人工芝２０を例えば波形状に取り付けたり、文字や記号などを模るように取り付けたり、駐車場等における案内表示を模るように取り付けたりすること可能である。但し、案内用として用いる場合には、表示が見易くなるように、紐状人工芝２０として、通常の芝生とは異なる色、例えば白色に着色したものを用いることができる。更に、図８に示すように、基材マット１０に代えて、深さの異なる２種類の切欠部１３、１３Ａを形成した基材マット１０Ａを用い、図７（ｂ）に示すように、基材マット１０Ａに対して紐状人工芝２０を例えば６０°の角度を付けて交差するように取り付けたることができる。
【００２７】
尚、図９に示すように、切欠部１３の上部にフック部３０を形成し、紐状基材２１を切欠部１３に嵌合させた状態で、このフック部３０が紐状基材２１の上端部に係合して、紐状人工芝２０を基材マット１０に一旦組み付けた状態で、紐状人工芝２０を基材マット１０から容易には引き抜けないように構成するとも好ましい実施の形態である。このように構成すると、悪戯などにより、紐状人工芝２０を引き抜こうとしても、紐状基材２１の上端部がフック部３０に係合して容易には抜き取ることができないので、このような悪戯を防止する上で好ましい。また、図１０に示すように、紐状基材２１の下側へ延びる人工芝３１を植設し、この人工芝３１を紐状基材２１の下側の客土２に埋設状に設けることで、紐状人工芝２０を容易には引き抜けないように構成することもできる。
【００２８】
基材マット１０の単位面積当たりに取り付ける紐状人工芝２０の長さ、つまり天然芝３と人工芝２２との混合割合は任意に設定することができる。例えば、駐車場に施工する芝生施工構造１では、日当たりの良くない部位や、車両が頻繁に出入りする部位、車両の駐車部位などのように、天然芝３の生育条件があまり良くない部位に関しては、他の部位と比較して天然芝３の生育が遅れたり、天然芝３が枯れたりし易いので、人工芝２２の混合割合を他の部位と比較して高く設定し、天然芝３の生育遅れや枯れによる芝生の景観や意匠性の低下を防止することが好ましい。
【図面の簡単な説明】
【００２９】
【図１】基材マットと紐状人工芝の分解状態での斜視図
【図２】基材マット及びそれに組み付けた紐状人工芝の平面図
【図３】基材マットの平面図
【図４】（ａ）〜（ｅ）は図３のIV-IV線断面での芝生施工構造の施工方法の説明図
【図５】図４（ｅ）のV-V線断面図
【図６】（ａ）は紐状基材の斜視図、（ｂ）（ｃ）は他の構成の紐状基材の斜視図
【図７】(ａ)（ｂ）は紐状人工芝の他の配設レイアウトの説明図
【図８】図７（ｂ）の他の配設レイアウトのときに用いる基材マットの斜視図
【図９】（ａ）（ｂ）は他の構成の基材マットの説明図
【図１０】他の構成の紐状人工芝の説明図
【符号の説明】
【００３０】
１      芝生施工構造          ２      客土
３      天然芝                ４      地盤
５      アンカーピン
１０    基材マット            １１    空洞部
１２    区画壁                １３    切欠部
１４    単位セル              １５    支柱部
１６    補強部                １７    開口
１８    底板                  １９    空間
２０    紐状人工芝            ２１    紐状基材
２２    人工芝                ２３    溝部
２４    葉束                  ２５    針
１０Ａ  基材マット            ２１Ａ  紐状基材
２１Ｂ  紐状基材              ３０    フック部
３１    人工芝
【図１】
0004583421.tif 000002
【図２】
0004583421.tif 000003
【図３】
0004583421.tif 000004
【図４】
0004583421.tif 000005
【図５】
0004583421.tif 000006
【図６】
0004583421.tif 000007
【図７】
0004583421.tif 000008
【図８】
0004583421.tif 000009
【図９】
0004583421.tif 000010
【図１０】
0004583421.tif 000011